(57)【要約】【課題】簡略な構造ながら振った際の空気抵抗を確実に発生させて練習のための適切な負荷を与えられ、素振りの練習効果を高められる練習用バットを提供する。【解決手段】四枚以上の羽根板１１をバット芯部１０周囲に放射状突出状態として配設し、スイング時にそれぞれ空気とぶつかる各羽根板１１に加わるスイング方向の抵抗の総和を中心のバット芯部１０の角度によらずほぼ一定としつつ、全体で通常打撃用のバットより大きな空気抵抗を発生させて素振りにおける負荷として利用することから、羽根板１１がどのような向きでもスイング時に適切な空気抵抗負荷を与えられ、羽根板１１の向きを気にすることなく通常打撃用のバットと同じ感覚で素振りが行え、正しいフォームで打撃に必要な身体各部の筋力強化を図れ、効率よく練習が行える。【選択図】  図１
2004313528.tif 000002
【特許請求の範囲】
【請求項１】
少なくとも一端側にグリップ部を有する所定長さの略棒状のバット芯部と、
前記バット芯部における他端側所定長さ範囲に周方向へ等ピッチの放射状突出状態として少なくとも四枚以上固定配設されてなる羽根板とを備えることを
特徴とする練習用バット。
【請求項２】
一端側のグリップ部から他端側へ遠ざかるほど径の太くなるテーパ部分を少なくとも有するバットと、
当該バットのテーパ部分所定径位置と略同一径の開口部を一端側に最小径部分として有する略筒状体で形成され、前記バットを挿通して前記一端側開口部を前記テーパ部分所定径位置に当接させつつバットの他端側所定長さ範囲外周に着脱自在に装着される羽根基部と、
当該羽根基部外周に周方向へ等ピッチの放射状突出状態として少なくとも四枚以上固定配設されてなる羽根板とを備えることを
特徴とする練習用バット。
【請求項３】
前記請求項１又は２に記載の練習用バットにおいて、
前記羽根板が、表面及び／又は裏面に凸部及び／又は凹部を一又は複数形成されてなることを
特徴とする練習用バット。
【請求項４】
一端側にグリップ部を有すると共に少なくとも他端側所定長さ範囲を中空の略筒状とされてなる略バット状体で形成され、前記所定長さ範囲における外周面に内部へ連通する孔が軸対称配置で多数穿設されるバット本体と、
外周面に内部へ連通する孔が多数穿設される略筒状体で形成され、前記バット本体の前記所定長さ範囲部分内側空間の中心部に配設される抵抗体とを備えることを
特徴とする練習用バット。
【請求項５】
一端側のグリップ部から他端側へ遠ざかるほど径の太くなるテーパ部分を少なくとも有するバットと、
当該バットのテーパ部分所定径位置と略同一径の開口部を一端側に最小径部分として有し、且つ外周面に内部へ連通する孔が軸対称配置で多数穿設されてなる略筒状体で形成され、前記バットを挿通して前記一端側開口部を前記テーパ部分所定径位置に当接させつつバットの他端側所定長さ範囲の外周に装着される抵抗付与体と、
当該抵抗付与体の前記バット装着済状態における他端側開口部を塞いでバットに取付けられる先端カバー部とを備えることを
特徴とする練習用バット。
【発明の詳細な説明】
【０００１】
【発明の属する技術分野】
本発明は、野球の打撃練習における素振りに用いられてバットを振る筋力を強化するための練習用バットに関し、特に適切な負荷を与えて容易且つ安全に筋力強化が図れる練習用バットに関する。
【０００２】
【従来の技術】
野球の打撃に必要な筋力を強化する練習としては、バットの素振りが広く一般的に行われている。本来、筋力強化のための練習に際しては、バットスウィングで用いる各筋肉に対し十分な負荷を与えることが重要であり、ボールを打つための通常のバットよりバットスイング中の筋肉に与える負荷を大きくする工夫が必要となってくる。
【０００３】
従来の素振り練習でこうした負荷を増大させるには、バットの打球部外周に重りとなる鉄リングをはめ、バットの重量を増加させたり、素振り用にはじめから重く形成された専用の練習用バットを用いたりするという方法がある。しかし、これらの場合、重量増加で通常のバットと重量バランスが変化し、振った時に異なる感触となって、実際の打撃状態に準じた適切な筋力強化が行えないことに加え、重量増加に伴って振った時の慣性力が大きくなるため、バットを振る際や振り抜いた後でバットを止める際に関節や筋肉に過剰な負担がかかってしまうという問題がある。
【０００４】
これに対し、近年、素振りの際に適度な抵抗負荷を与えられると共に持運びや保管の利便性を向上させた素振り練習用バットが提案されている。こうした練習用バットの一例として、特開２００１−２８６５９３号公報に記載されるものがあり、これを図９に示す。図９は従来の練習用バットの正面図である。
前記図９において従来の練習用バット１００は、平板で幅広な形状である打球部を有する構成である。この従来の練習用バット１００は、打球部が平板で幅広な形状であることにより、バットスウィング中の空気抵抗が大きく、筋力強化のための負荷をバット重量増を伴わずに与えられると共に、打球部が幅広ながら平板状となっていることで持ち運びや保管も容易に行える。
【０００５】
【発明が解決しようとする課題】
従来の練習用バットは以上のように構成されており、練習の際には、空気抵抗が大きくなるよう、平面部が前向きになるように練習用バット１００を保持して使用しなければ、空気抵抗による負荷を適切に与えられず、練習の効果を得られないため、常に持ち方に配慮しなければならず、使用が難しいという課題を有していた。
また、単純に打球部を幅広な平板形状とした場合、重量バランスが崩れ、実際の練習用バットとは異なる感触となって適切な筋力強化が行えないおそれがあるという課題を有していた。
【０００６】
本発明は前記課題を解消するためになされたもので、簡略な構造ながら振った際の空気抵抗を確実に発生させて練習のための適切な負荷を与えられ、素振りの練習効果を高められる練習用バットを提供することを目的とする。
【０００７】
【課題を解決するための手段】
本発明に係る練習用バットは、少なくとも一端側にグリップ部を有する所定長さの略棒状のバット芯部と、前記バット芯部における他端側所定長さ範囲に周方向へ等ピッチの放射状突出状態として少なくとも四枚以上固定配設されてなる羽根板とを備えるものである。
このように本発明においては、四枚以上の羽根板をバット芯部周囲に放射状突出状態として配設し、スイング時にそれぞれ空気とぶつかる各羽根板に加わるスイング方向の抵抗の総和を中心のバット芯部の角度によらずほぼ一定としつつ、全体で通常打撃用のバットより大きな空気抵抗を発生させて素振りにおける負荷として利用することにより、羽根板がどのような向きでもスイング時に適切な空気抵抗負荷を与えられ、羽根板の向きを気にすることなく通常打撃用のバットと同じ感覚で素振りが行え、正しいフォームで打撃に必要な身体各部の筋力強化を図れ、効率よく練習が行える。
【０００８】
また、本発明に係る練習用バットは、一端側のグリップ部から他端側へ遠ざかるほど径の太くなるテーパ部分を少なくとも有するバットと、当該バットのテーパ部分所定径位置と略同一径の開口部を一端側に最小径部分として有する略筒状体で形成され、前記バットを挿通して前記一端側開口部を前記テーパ部分所定径位置に当接させつつバットの他端側所定長さ範囲外周に着脱自在に装着される羽根基部と、当該羽根基部外周に周方向へ等ピッチの放射状突出状態として少なくとも四枚以上固定配設されてなる羽根板とを備えるものである。
【０００９】
このように本発明においては、四枚以上の羽根板が放射状突出状態で固定された略筒状の羽根基部をバット周囲に装着し、スイング時にそれぞれ空気とぶつかる各羽根板に加わるスイング方向の抵抗の総和を中心のバットの角度によらずほぼ一定としつつ、全体で通常打撃用のバットより大きな空気抵抗を発生させて素振りにおける負荷として利用することにより、羽根板がどのような向きでもスイング時に適切な空気抵抗負荷を与えられ、羽根板の向きを気にすることなく通常打撃用のバットと同じ感覚で素振りが行え、正しいフォームで打撃に必要な身体各部の筋力強化を図れ、効率よく練習が行えると共に、羽根基部をバット外側に着脱自在とすることで既存のバットを活用でき、練習にかかるコストを抑えつつ素振り練習がより適切に実施できる。
【００１０】
また、本発明に係る練習用バットは必要に応じて、前記羽根板が、表面及び／又は裏面に凸部及び／又は凹部を一又は複数形成されてなるものである。
このように本発明においては、羽根板の一面又は両面に凸部及び／又は凹部を形成し、スイング時に羽根板にぶつかる空気の羽根板各面に沿って各方向に進んで羽根板端部から流出する流れを凸部及び／又は凹部でそれぞれ妨害、分断することにより、羽根板上で空気がスムーズに移動するのを防いで空気抵抗を増大させられ、スイングの際に十分且つ適切な空気抵抗負荷を確保しつつ羽根板面積をより小さくすることができ、全体をコンパクトにして収納、持運び性を向上させられる。
【００１１】
また、本発明に係る練習用バットは、一端側にグリップ部を有すると共に少なくとも他端側所定長さ範囲を中空の略筒状とされてなる略バット状体で形成され、前記所定長さ範囲における外周面に内部へ連通する孔が軸対称配置で多数穿設されるバット本体と、外周面に内部へ連通する孔が多数穿設される略筒状体で形成され、前記バット本体の前記所定長さ範囲部分内側空間の中心部に配設される抵抗体とを備えるものである。
【００１２】
このように本発明においては、バット本体の所定長さ範囲に多数の孔を穿設すると共に、その内部に多数の孔の開いた抵抗体を配設し、スイング時に空気とぶつかるバット本体のスイング方向前方側の孔から空気を内部に取込み、後方の孔から空気が抜けるまでに各部で空気抵抗を生じさせ、全体で通常打撃用のバットより大きな空気抵抗を発生させて素振りにおける負荷として利用することにより、通常の打撃用のバットとほぼ同じ大きさで適切な抵抗負荷を与えられることとなり、収納、持運び性に優れると共に、対称構造によりどのような向きでもスイング時に適切な空気抵抗負荷を与えられ、バット本体の向きを気にすることなく通常打撃用のバットと同じ感覚で素振りが行え、正しいフォームで打撃に必要な身体各部の筋力強化を図れ、効率よく練習が行える。
【００１３】
また、本発明に係る練習用バットは、一端側のグリップ部から他端側へ遠ざかるほど径の太くなるテーパ部分を少なくとも有するバットと、当該バットのテーパ部分所定径位置と略同一径の開口部を一端側に最小径部分として有し、且つ外周面に内部へ連通する孔が軸対称配置で多数穿設されてなる略筒状体で形成され、前記バットを挿通して前記一端側開口部を前記テーパ部分所定径位置に当接させつつバットの他端側所定長さ範囲の外周に装着される抵抗付与体と、当該抵抗付与体の前記バット装着済状態における他端側開口部を塞いでバットに取付けられる先端カバー部とを備えるものである。
【００１４】
このように本発明においては、多数の孔を穿設された略筒状の抵抗付与体をバット周囲に装着し、スイング時に空気とぶつかる抵抗付与体のスイング方向前方側の孔から空気を内部に取込み、後方の孔から空気が抜けるまでに各部で空気抵抗を生じさせ、全体で通常打撃用のバットより大きな空気抵抗を発生させて素振りにおける負荷として利用することにより、対称構造の抵抗付与体でどのような向きでもスイング時に適切な空気抵抗負荷を与えられ、バット本体の向きを気にすることなく通常打撃用のバットと同じ感覚で素振りが行え、正しいフォームで打撃に必要な身体各部の筋力強化を図れ、効率よく練習が行えると共に、抵抗付与体をバット外側に装着することで既存のバットを活用でき、練習にかかるコストを抑えつつ素振り練習がより適切に実施できる。
【００１５】
【発明の実施の形態】
（本発明の第１の実施形態）
以下、本発明の第１の実施形態に係る練習用バットについて、図１及び図２に基づいて説明する。図１は本実施の形態に係る練習用バットの斜視図、図２は本実施の形態に係る練習用バットの羽根板取付状態説明図である。
前記各図に示すように、本実施の形態に係る練習用バット１は、一端側にグリップ部１０ａを有するバット芯部１０と、このバット芯部１０の他端側所定長さ範囲に一体化される複数枚の羽根板１１とを備える構成である。
【００１６】
前記バット芯部１０は、公知の通常打撃用のバットとほぼ同一形状の木製バット状体として形成され、他端側所定長さ範囲に羽根板１１を取付けるための外周面から中心部に至る溝１０ｂを複数穿設されてなる構成である。このバット芯部１０他端には、溝１０ｂに取付けた羽根板１１がスイング時に誤って抜けるのを防ぐためのストッパ１０ｃも螺着等で一体に固定される。
【００１７】
前記羽根板１１は、一端部から他端部に向うほど幅広とされる略板状体で形成され、バット芯部１０の溝１０ｂに一端部をグリップ部１０ａ寄りとして係合、固定され、バット芯部１０に周方向へ等ピッチの放射状突出状態として四枚配設される構成である。この羽根板１１には、表面に所定の粗さの凹凸が形成されると共に、外周端に連続して板表裏両方向に突出する突起部１１ａが形成されており、素振り時に羽根板１１の動きに伴って羽根板１１に当る空気の、羽根板１１表面に沿って各方向に進んで羽根板１１各端部から流出する流れをそれぞれ妨害、分断し、空気をスムーズに移動させないようにして空気抵抗を増す仕組みである。
【００１８】
この羽根板１１をバット芯部１０に固定した状態で、一体の練習用バット１としての重心が公知の通常打撃用のバットとほぼ同一となるよう、羽根板１１外形及びバット芯部１０の溝１０ｂ形状を設定するのが望ましい。また、スイング時に発生する抵抗負荷についても、公知の通常打撃用のバットにおける打球部でボールを打つ場合に近い感触が得られるよう、抵抗力の合成された中心位置を前記打球部に相当するバット芯部１０上の所定長さ位置に一致させるべく羽根板１１の外形や配設位置、表面性状を設定するのが望ましい。
【００１９】
次に、前記構成に基づく練習用バットの素振り時状態について説明する。練習者が練習用バット１を通常打撃用のバット同様のフォームでスイングすると、全体の動きに伴って周囲の静止した空気が相対的に練習用バット１に向けて流れる状態となり、この空気流がバット芯部１０及び羽根板１１にぶつかる。
練習者は、この空気流内にバット芯部１０及び羽根板１１が位置することにより生じる抗力を、スイング動作に対する抵抗負荷として受ける状態となる。四枚等ピッチで配設された各羽根板１１に空気が当ることで、中心のバット芯部１０に対する各羽根板１１の角度位置が変ってもスイング方向の抵抗力の総和はほぼ一定となっており、練習者は羽根板１１の向きに関わりなくほぼ一様な抵抗負荷を感じることができる。また、空気が羽根板１１上を各方向に進み、羽根板１１端部から周囲空間に流出するまでの間に、羽根板１１表面の凹凸や端部の突起部１１ａが空気のスムーズな流れを阻害する分の反作用として抵抗力を受けることから、羽根板１１を過度に大きくしなくてもスイングの際に十分且つ適切な空気抵抗負荷を与えることができる。
【００２０】
スイング動作を停止しようとすると、空気による抵抗負荷はスイング速度低下に伴って減少していくため、練習用バット１の重量のみが負荷として加わっている状態へ移行することとなり、通常打撃用のバットとほとんど変らない感覚で全体の動作を停止させることができ、バット重量を増加させた場合のような身体各部の筋肉や関節に無理な力がかかることもない。
このように、本実施の形態に係る練習用バットは、四枚の羽根板１１をバット芯部１０周囲に放射状突出状態として配設し、スイング時にそれぞれ空気とぶつかる各羽根板１１に加わるスイング方向の抵抗の総和を中心のバット芯部１０の角度によらずほぼ一定としつつ、全体で通常打撃用のバットより大きな空気抵抗を発生させて素振りにおける負荷として利用することから、羽根板１１がどのような向きでもスイング時に適切な空気抵抗負荷を与えられ、羽根板１１の向きを気にすることなく通常打撃用のバットと同じ感覚で素振りが行え、正しいフォームで打撃に必要な身体各部の筋力強化を図れ、効率よく練習が行える。
【００２１】
なお、前記実施の形態に係る練習用バットにおいては、バット芯部１０を通常打撃用のバット同様のバット状体として形成する構成としているが、これに限らず、少なくとも一端側にグリップ部１０ａを有していれば、他端側所定長さ範囲は単純な棒形状とし、且つ断面形状についても円断面形状に限らず、多角形など他の断面形状に形成する構成としてもかまわない。また、羽根板１１についても、四枚配設する構成としているが、これに限らず、配設数を五、六枚あるいはそれ以上とすることもできる。
また、前記実施の形態に係る練習用バットにおいては、羽根板１１と木製のバット芯部１０とを互いに係合させて一体化する構成としたが、これに限らず、金属製の略バット状のバット芯部外周に金属製の羽根板を溶接等で一体に固定する構成とすることもでき、強度、耐久性を著しく向上させて長期間使用できることとなる。
【００２２】
（本発明の第２の実施形態）
本発明の第２の実施形態に係る練習用バットについて、図３及び図４に基づいて説明する。図３は本実施の形態に係る練習用バットの斜視図、図４は本実施の形態に係る練習用バットの組立状態説明図である。
前記各図に示すように、本実施の形態に係る練習用バット２は、グリップ部２０ａから遠ざかるほど径の太くなるテーパ部分２０ｂを有するバット２０と、このバット２０のテーパ部分２０ｂ所定径位置からグリップ部２０ａ側のみ挿通可能な大きさの開口部を一端に有する略筒状体で形成され、バット２０外周に装着される羽根基部２１と、この羽根基部２１外周に周方向へ略等ピッチの放射状突出状態として四枚固定配設されてなる羽根板２２とを備える構成である。
【００２３】
前記バット２０は、一端側のグリップ部２０ａから他端側へ遠ざかるほど径の太くなるテーパ部分２０ｂを中間部分に有する公知の通常打撃用のバットであり、詳細な説明を省略する。
前記羽根基部２１は、伸長・復元可能な弾性体製の筒状体で形成され、前記バット２０のテーパ部分２０ｂ所定径位置に対応する開口径とされる開口部を一端側に最小径部分として有し、バット２０の前記テーパ部分２０ｂ所定径位置から他端側のバット外周面に沿って密着可能な筒形状とされてなる構成である。この羽根基部２１は、バット２０のグリップ部２０ａを他端側開口部から挿入し貫通させてバット２０他端側所定長さ範囲の外周に装着することができ、この装着状態で一端側開口部がバット２０の前記テーパ部分２０ｂ所定径位置から他端側へほとんど進むことができないため、スイングした際にバット２０から外れることはない。
なお、羽根基部２１は所定のバット２０の形状・大きさに適合する筒形状とされているが、適合するサイズより若干大きい程度のバットに対しては、弾性変形可能な範囲で装着することができ、大きさの違いを許容して適用範囲を広げられる。
【００２４】
前記羽根板２２は、一端部から他端部に向うほど幅広とされる略板状体で形成され、一端側を羽根基部２１一端側開口部寄りとして羽根基部２１外周に周方向へ等ピッチの放射状突出状態として四枚配設される構成である。この羽根板２２には、前記第１の実施形態同様、表面に所定の粗さの凹凸が形成されると共に、外周端に連続して板表裏両方向に突出する突起部２２ａが形成される構成である。この各羽根板２２は、羽根基部２１と同素材として羽根基部２１と一体成形してもかまわない。
【００２５】
次に、前記構成に基づく練習用バットの素振り時状態について説明する。あらかじめ、羽根基部２１がバット２０に装着されて練習用バット２として完成した状態にあるものとする。この練習用バット２を練習者が通常打撃用のバット同様のフォームでスイングすると、前記第１の実施形態同様、空気が相対的に練習用バット２側に向けて流れる状態となり、この空気流がバット２０表面の羽根基部２１及び羽根板２２にぶつかる。
【００２６】
練習者は、この空気流内に羽根基部２１及び羽根板２２が位置することにより生じる抗力を、スイング動作に対する抵抗負荷として受ける状態となる。四枚等ピッチで配設された各羽根板２２に空気が当ることで、中心のバット２０に対する各羽根板２２の角度位置が変ってもスイング方向の抵抗力の総和はほぼ一定となっており、練習者は羽根板２２の向きに関わりなくほぼ一様な抵抗負荷を感じることができる。また、空気が羽根板２２上を各方向に進み、羽根板２２端部から周囲空間に流出するまでの間に、羽根板２２表面の凹凸や端部の突起部２２ａが空気のスムーズな流れを阻害する分の反作用として抵抗力を受けることから、羽根板２２を過度に大きくしなくてもスイングの際に十分且つ適切な空気抵抗負荷を与えることができる。
スイング動作を停止しようとすると、空気による抵抗負荷はスイング速度低下に伴って減少していくため、前記第１の実施形態同様、練習用バット２の重量のみが負荷として加わっている状態へ移行することとなり、通常打撃用のバットとほとんど変らない感覚で全体の動作を停止させることができる。
【００２７】
このように、本実施の形態に係る練習用バットは、四枚の羽根板２２が放射状突出状態で固定された略筒状の羽根基部２１をバット２０周囲に装着し、スイング時にそれぞれ空気とぶつかる各羽根板２２に加わるスイング方向の抵抗の総和を中心のバット２０の角度によらずほぼ一定としつつ、全体で通常打撃用のバットより大きな空気抵抗を発生させて素振りにおける負荷として利用することにより、羽根板２２がどのような向きでもスイング時に適切な空気抵抗負荷を与えられ、羽根板２２の向きを気にすることなく通常打撃用のバットと同じ感覚で素振りが行え、正しいフォームで打撃に必要な身体各部の筋力強化を図れると共に、羽根基部２１をバット２０外側に着脱自在とすることで既存のバット２０を活用でき、練習にかかるコストを抑えられる。
なお、前記実施の形態に係る練習用バットにおいては、筒状の羽根基部２１を伸長・復元可能な弾性材とし、バット２０径の違いに対応できる構成としているが、これに限らず、用いるバット２０を同形状で且つ同じ大きさのものに限定できれば、羽根基部２１を硬質材料で形成する構成としてもかまわない。
【００２８】
（本発明の第３の実施形態）
本発明の第３の実施形態に係る練習用バットについて、図５及び図６に基づいて説明する。図５は本実施の形態に係る練習用バットの斜視図、図６は本実施の形態に係る練習用バットの要部拡大断面図である。
前記各図に示すように、本実施の形態に係る練習用バット３は、一端側にグリップ部３０ａを有すると共に他端側所定長さ範囲を中空の略筒状とされる略バット状のバット本体３０と、このバット本体３０の前記所定長さ範囲部分内側空間の中心部に配設される筒状の抵抗体３１とを備え、バット本体３０の前記所定長さ範囲及び抵抗体３１の各外周面に内部へ連通する多数の孔３０ｂ、３１ａを穿設されてなる構成である。
【００２９】
前記バット本体３０は、公知の通常打撃用バットと同様のグリップ部３０ａを一端側に有する一方、このグリップ部３０ａより他端側部分を中空の略筒状とされてなる略バット状体で形成され、この略筒状部分の外周面に内部へ連通する孔３０ｂを多数穿設される構成である。バット本体３０内側空間中心位置には全体の重量バランスを調整して通常打撃用のバットと同様の位置に重心を定める金属製の芯棒３２が前記内側空間を貫通する状態で固定配設される。
【００３０】
前記抵抗体３１は、外周面に内部へ連通する孔３１ａが多数穿設される略筒状体で形成され、バット本体３０の内側空間の中心部に前記芯棒３２を取囲む状態で配設される構成である。この抵抗体３１内周面と芯棒３２外周面との間、並びに抵抗体３１外周面とバット本体３０内周面との間はそれぞれ間隔を空けた状態に維持され、空気の流通可能な二つの空間が同心の円筒状に確保される。なお、抵抗体３１及びバット本体３０の各孔３１ａ、３０ｂは、抵抗体３１及びバット本体３０の各筒中心軸について対称に配置され、練習用バット３をどのような向きでスイングしても、スイング方向前方側に面する孔３１ａ、３０ｂの配置状態は略同一となる。
【００３１】
次に、前記構成に基づく練習用バットの素振り時状態について説明する。練習者が練習用バット３を通常打撃用のバット同様のフォームでスイングすると、前記第１及び第２の実施形態同様、空気が相対的に練習用バット３側に向けて流れる状態となり、この空気流がバット本体３０外周面にぶつかると共に、バット本体３０の各孔３０ｂからバット本体３０内部に進入する。
【００３２】
空気は、バット本体３０内をスイング方向前方側から後方側へ進んでいく中で一部が抵抗体３１の各孔３１ａから抵抗体３１内部にも進入する。これらの空気が最終的にバット本体３０のスイング方向後方側の孔３０ｂから周囲空間に流出するまでの間に、孔３０ｂ、３１ａの通過や、バット本体３０、抵抗体３１及び芯棒３２への接触等に伴い、空気はスムーズな流れを阻害されて圧力損失が発生する。実際にはバット側を動かしているので、前記圧力損失分の抗力が、練習用バット３のスイング方向と逆方向に加わる状態となり、前記空気流がバット本体３０外周面にぶつかることにより生じる抗力と共に、練習者のスイング動作への負荷となる。また、バット本体３０中心について抵抗体３１や芯棒３２、各孔３０ｂ、３１ａの配置が対称となっていることから、練習者はバット本体３０の向きに関わりなく一様な抵抗負荷を感じることができる。
スイング動作を停止しようとすると、空気による抵抗負荷はスイング速度低下に伴って減少していくため、前記第１及び第２の各実施形態同様、練習用バット３の重量のみが負荷として加わっている状態へ移行することとなり、通常打撃用のバットとほとんど変らない感覚で全体の動作を停止させることができる。
【００３３】
このように、本実施形態に係る練習用バットは、バット本体３０の所定長さ範囲に多数の孔３０ｂを穿設すると共に、その内部に多数の孔３１ａの開いた抵抗体３１を配設し、スイング時に空気とぶつかるバット本体３０のスイング方向前方側の孔３０ｂから空気を内部に取込み、後方の孔３０ｂから空気が抜けるまでに各部で空気抵抗を生じさせ、全体で通常打撃用のバットより大きな空気抵抗を発生させて素振りにおける負荷として利用することにより、通常の打撃用のバットとほぼ同じ大きさで適切な抵抗負荷を与えられることとなり、収納、持運び性に優れると共に、対称構造によりどのような向きでもスイング時に適切な空気抵抗負荷を与えられ、バット本体３０の向きを気にすることなく通常打撃用のバットと同じ感覚で素振りが行え、正しいフォームで打撃に必要な身体各部の筋力強化を図れる。
【００３４】
なお、前記実施の形態に係る練習用バットにおいては、バット本体３０内の抵抗体３１内側にさらに芯棒３２を配設する構成としているが、これに限らず、バット本体３０及び抵抗体３１で適切な重量バランスがとれると共に適度な重量が確保できれば、芯棒３２を設けなくてもかまわない。
また、前記実施の形態に係る練習用バットにおいて、バット本体３０外周面は孔３０ｂを穿設される他は滑らかな曲面として形成される構成としているが、これに限らず、バット本体３０外周面にスイング時の空気抵抗を高める所定の粗さの凹凸を形成したり、外周面に等ピッチで放射状に突出する四つ以上の複数の突条部分をそれぞれバット本体３０長手方向所定長さ範囲にわたって配設したりする構成とすることもできる。
【００３５】
（本発明の第４の実施形態）
本発明の第４の実施形態に係る練習用バットについて、図７及び図８に基づいて説明する。図７は本実施の形態に係る練習用バットの斜視図、図８は本実施の形態に係る練習用バットの組立状態説明図である。
前記各図に示すように、本実施の形態に係る練習用バット４は、グリップ部４０ａから遠ざかるほど径の太くなるテーパ部分４０ｂを有するバット４０と、このバット４０のテーパ部分４０ｂ所定径位置からグリップ部４０ａ側のみ挿通可能な大きさの開口部を一端に有する略筒状体で形成され、バット４０外周に装着される抵抗付与体４１と、この抵抗付与体４１のバット４０装着済状態における他端側開口部を塞いでバット４０に固定される先端カバー部４２とを備える構成である。
【００３６】
前記バット４０は、一端側のグリップ部４０ａから他端側へ遠ざかるほど径の太くなるテーパ部分４０ｂを中間部分に有する公知の通常打撃用のバットであり、詳細な説明を省略する。
前記抵抗付与体４１は、外周面に内部へ連通する多数の孔４１ａを穿設される筒状体で形成され、前記バット４０のテーパ部分４０ｂ所定径位置に対応する開口径とされる開口部を一端に有し、この一端側開口部から他端側へ遠ざかるほど径の太くなる拡径筒形状とされてなる構成である。この抵抗付与体４１は、バット４０のグリップ部４０ａを他端側開口部から挿入し貫通させてバット４０他端側所定長さ範囲の外側に装着することができ、この装着状態で一端側開口部がバット４０の前記テーパ部分４０ｂ所定径位置から他端側へ進むことができないため、スイングした際にバット４０から外れることはない。
【００３７】
抵抗付与体４１は、バット４０外側に装着された後、バット４０他端に取付けられる先端カバー部４２で他端側開口部を塞がれながら完全に固定される（図８参照）。こうして固定された状態では、内側のバット４０外面に対し一端側開口部を除いて間隔を空けて離れた状態となっている。なお、抵抗付与体４１の孔４１ａは、抵抗付与体４１の筒中心軸について対称に配置され、練習用バット４をどのような向きでスイングしても、スイング方向前方側に面する孔４１ａの配置状態は略同一となる。
【００３８】
次に、前記構成に基づく練習用バットの素振り時状態について説明する。あらかじめ、抵抗付与体４１がバット４０に装着されると共に先端カバー部４２が抵抗付与体４１の他端側開口部を塞ぎつつバット４０と一体化され、練習用バット４として完成した状態にあるものとする。この練習用バット４を練習者が通常打撃用のバット同様のフォームでスイングすると、前記第１ないし第３の実施形態同様、空気が相対的に練習用バット４側に向けて流れる状態となり、この空気流がバット４０外側の抵抗付与体４１外周面にぶつかると共に、抵抗付与体４１の各孔４１ａから抵抗付与体４１内部に進入する。
【００３９】
空気は、抵抗付与体４１内をスイング方向前方側から後方側へ進み、最終的に抵抗付与体４１のスイング方向後方側の孔４１ａから周囲空間に流出するまでの間に、孔４１ａの通過や、バット４０、抵抗付与体４１への接触等に伴い、空気はスムーズな流れを阻害されて圧力損失が発生する。実際にはバット側を動かしているので、前記圧力損失分の抗力が、練習用バット４のスイング方向と逆方向に加わる状態となり、前記空気流が抵抗付与体４１外周面にぶつかることにより生じる抗力と共に、練習者のスイング動作への負荷となる。また、バット４０中心について抵抗付与体４１やその各孔４１ａの配置が対称となっていることから、練習者は抵抗付与体４１の向きに関わりなく一様な抵抗負荷を感じることができる。
【００４０】
スイング動作を停止しようとすると、空気による抵抗負荷はスイング速度低下に伴って減少していくため、前記第１ないし第３の各実施形態同様、練習用バット４の重量のみが負荷として加わっている状態へ移行することとなり、通常打撃用のバットとほとんど変らない感覚で全体の動作を停止させることができる。
このように、本実施形態に係る練習用バットは、多数の孔４１ａを穿設された略筒状の抵抗付与体４１をバット４０周囲に装着し、スイング時に空気とぶつかる抵抗付与体４１のスイング方向前方側の孔４１ａから空気を内部に取込み、後方の孔４１ａから空気が抜けるまでに各部で空気抵抗を生じさせ、全体で通常打撃用のバットより大きな空気抵抗を発生させて素振りにおける負荷として利用することにより、対称構造の抵抗付与体４１でどのような向きでもスイング時に適切な空気抵抗負荷を与えられ、バット４０の向きを気にすることなく通常打撃用のバットと同じ感覚で素振りが行え、正しいフォームで打撃に必要な身体各部の筋力強化を図れ、効率よく練習が行えると共に、抵抗付与体４１をバット４０外側に装着できることで既存のバット４０を活用でき、練習にかかるコストを抑えられる。
【００４１】
また、前記実施の形態に係る練習用バットにおいて、抵抗付与体４１外周面は孔４１ａを穿設される他は滑らかな曲面として形成される構成としているが、これに限らず、抵抗付与体４１外周面にスイング時の空気抵抗を高める所定の粗さの凹凸を形成したり、外周面に等ピッチで放射状に突出する四つ以上の複数の突条部分をそれぞれ抵抗付与体４１長手方向所定長さ範囲にわたって配設したりする構成とすることもできる。
【００４２】
【発明の効果】
以上のように本発明によれば、四枚以上の羽根板をバット芯部周囲に放射状突出状態として配設し、スイング時にそれぞれ空気とぶつかる各羽根板に加わるスイング方向の抵抗の総和を中心のバット芯部の角度によらずほぼ一定としつつ、全体で通常打撃用のバットより大きな空気抵抗を発生させて素振りにおける負荷として利用することにより、羽根板がどのような向きでもスイング時に適切な空気抵抗負荷を与えられ、羽根板の向きを気にすることなく通常打撃用のバットと同じ感覚で素振りが行え、正しいフォームで打撃に必要な身体各部の筋力強化を図れ、効率よく練習が行えるという効果を奏する。
【００４３】
また、本発明によれば、四枚以上の羽根板が放射状突出状態で固定された略筒状の羽根基部をバット周囲に装着し、スイング時にそれぞれ空気とぶつかる各羽根板に加わるスイング方向の抵抗の総和を中心のバットの角度によらずほぼ一定としつつ、全体で通常打撃用のバットより大きな空気抵抗を発生させて素振りにおける負荷として利用することにより、羽根板がどのような向きでもスイング時に適切な空気抵抗負荷を与えられ、羽根板の向きを気にすることなく通常打撃用のバットと同じ感覚で素振りが行え、正しいフォームで打撃に必要な身体各部の筋力強化を図れ、効率よく練習が行えると共に、羽根基部をバット外側に着脱自在とすることで既存のバットを活用でき、練習にかかるコストを抑えつつ素振り練習がより適切に実施できるという効果を有する。
【００４４】
また、本発明によれば、羽根板の一面又は両面に凸部及び／又は凹部を形成し、スイング時に羽根板にぶつかる空気の羽根板各面に沿って各方向に進んで羽根板端部から流出する流れを凸部及び／又は凹部でそれぞれ妨害、分断することにより、羽根板上で空気がスムーズに移動するのを防いで空気抵抗を増大させられ、スイングの際に十分且つ適切な空気抵抗負荷を確保しつつ羽根板面積をより小さくすることができ、全体をコンパクトにして収納、持運び性を向上させられるという効果を有する。
【００４５】
また、本発明によれば、バット本体の所定長さ範囲に多数の孔を穿設すると共に、その内部に多数の孔の開いた抵抗体を配設し、スイング時に空気とぶつかるバット本体のスイング方向前方側の孔から空気を内部に取込み、後方の孔から空気が抜けるまでに各部で空気抵抗を生じさせ、全体で通常打撃用のバットより大きな空気抵抗を発生させて素振りにおける負荷として利用することにより、通常の打撃用のバットとほぼ同じ大きさで適切な抵抗負荷を与えられることとなり、収納、持運び性に優れると共に、対称構造によりどのような向きでもスイング時に適切な空気抵抗負荷を与えられ、バット本体の向きを気にすることなく通常打撃用のバットと同じ感覚で素振りが行え、正しいフォームで打撃に必要な身体各部の筋力強化を図れ、効率よく練習が行えるという効果を有する。
【００４６】
また、本発明によれば、多数の孔を穿設された略筒状の抵抗付与体をバット周囲に装着し、スイング時に空気とぶつかる抵抗付与体のスイング方向前方側の孔から空気を内部に取込み、後方の孔から空気が抜けるまでに各部で空気抵抗を生じさせ、全体で通常打撃用のバットより大きな空気抵抗を発生させて素振りにおける負荷として利用することにより、対称構造の抵抗付与体でどのような向きでもスイング時に適切な空気抵抗負荷を与えられ、バット本体の向きを気にすることなく通常打撃用のバットと同じ感覚で素振りが行え、正しいフォームで打撃に必要な身体各部の筋力強化を図れ、効率よく練習が行えると共に、抵抗付与体をバット外側に装着することで既存のバットを活用でき、練習にかかるコストを抑えつつ素振り練習がより適切に実施できるという効果を有する。
【図面の簡単な説明】
【図１】本発明の第１の実施形態に係る練習用バットの斜視図である。
【図２】本発明の第１の実施形態に係る練習用バットの羽根板取付状態説明図である。
【図３】本発明の第２の実施形態に係る練習用バットの斜視図である。
【図４】本発明の第２の実施形態に係る練習用バットの組立状態説明図である。
【図５】本発明の第３の実施形態に係る練習用バットの斜視図である。
【図６】本発明の第３の実施形態に係る練習用バットの要部拡大断面図である。
【図７】本発明の第４の実施形態に係る練習用バットの斜視図である。
【図８】本発明の第４の実施形態に係る練習用バットの組立状態説明図である。
【図９】従来の練習用バットの正面図である。
【符号の説明】
１、２、３、４、１００  練習用バット
１０            バット芯部
１０ａ          グリップ部
１０ｂ          溝
１０ｃ          ストッパ
１１            羽根板
１１ａ          突起部
２０、４０      バット
２０ａ、４０ａ  グリップ部
２０ｂ、４０ｂ  テーパ部分
２１            羽根基部
２２            羽根板
２２ａ          突起部
３０            バット本体
３０ａ          グリップ部
３０ｂ          孔
３１            抵抗体
３１ａ          孔
３２            芯棒
４１            抵抗付与体
４１ａ          孔
４２            先端カバー部
【図１】
2004313528.tif 000003
【図２】
2004313528.tif 000004
【図３】
2004313528.tif 000005
【図４】
2004313528.tif 000006
【図５】
2004313528.tif 000007
【図６】
2004313528.tif 000008
【図７】
2004313528.tif 000009
【図８】
2004313528.tif 000010
【図９】
2004313528.tif 000011
【手続補正書】
【提出日】平成15年5月30日(2003.5.30)
【手続補正１】
【補正対象書類名】図面
【補正対象項目名】図１
【補正方法】変更
【補正の内容】
【図１】
2004313528.tif 000012
【手続補正２】
【補正対象書類名】図面
【補正対象項目名】図２
【補正方法】変更
【補正の内容】
【図２】
2004313528.tif 000013
【手続補正３】
【補正対象書類名】図面
【補正対象項目名】図３
【補正方法】変更
【補正の内容】
【図３】
2004313528.tif 000014
【手続補正４】
【補正対象書類名】図面
【補正対象項目名】図４
【補正方法】変更
【補正の内容】
【図４】
2004313528.tif 000015
【手続補正５】
【補正対象書類名】図面
【補正対象項目名】図５
【補正方法】変更
【補正の内容】
【図５】
2004313528.tif 000016
【手続補正６】
【補正対象書類名】図面
【補正対象項目名】図６
【補正方法】変更
【補正の内容】
【図６】
2004313528.tif 000017
【手続補正７】
【補正対象書類名】図面
【補正対象項目名】図７
【補正方法】変更
【補正の内容】
【図７】
2004313528.tif 000018
【手続補正８】
【補正対象書類名】図面
【補正対象項目名】図８
【補正方法】変更
【補正の内容】
【図８】
2004313528.tif 000019